(57)【特許請求の範囲】
【請求項１】
第１のシャックル脚部と第２のシャックル脚部とを有する、シャックル部材と、
該第１のシャックル脚部に旋回可能に固定される第１のクラスプ部材であって、該第１のクラスプ部材は、フランジを含み、該フランジは、錠止開口を備える、第１のクラスプ部材と、
該第１のシャックル脚部に旋回可能に固定される第２のクラスプ部材であって、該第２のクラスプ部材は、該第１および第２のクラスプ部材が閉鎖位置にある時、自身を通して、該フランジを受容するように位置付けられる切り欠き部分を含み、該第１および第２のクラスプ部材のうちの少なくとも１つは、該第２のシャックル脚部に係合する、第２のクラスプ部材と
を備え、該第１および第２のクラスプ部材が該閉鎖位置にあって、錠止可能保定部材が、該フランジの該錠止開口を通して挿入されると、該切り欠き部分からの該フランジの引き抜きが防止され、それによって、該第１および第２のクラスプ部材を該閉鎖位置に固定する、安全錠止掛け金。
【請求項２】
前記第２のクラスプ部材は、錠止開口を備えたフランジを含み、前記第１のクラスプ部材は、該第１および第２のクラスプ部材が前記閉鎖位置にある時、該第２のクラスプ部材のフランジを受容するように構成される、切り欠き部分を含む、請求項１に記載の安全錠止掛け金。
【請求項３】
前記第２のクラスプ部材の形状は、前記第１のクラスプ部材の形状と実質的に同一である、請求項２に記載の安全錠止掛け金。
【請求項４】
前記第１のクラスプ部材のフランジは、該第１のクラスプ部材の切り欠き部分と実質的に同一線上にある、請求項２に記載の安全錠止掛け金。
【請求項５】
前記第１および第２のクラスプ部材のフランジは、該第１および第２のクラスプ部材が前記閉鎖位置にある時、前記第２のシャックル脚部の側方最外表面を実質的に被覆する、請求項２に記載の安全錠止掛け金。
【請求項６】
前記第１および第２のクラスプ部材が前記閉鎖位置にある時、該第１および第２のクラスプ部材のフランジは、反対方向に延びる、請求項２に記載の安全錠止掛け金。
【請求項７】
前記フランジは、前記第２のシャックル脚部に対して実質的に平行に延びる、請求項１に記載の安全錠止掛け金。
【請求項８】
前記フランジは、前記第２のシャックル脚部に対して実質的に垂直に延びる、請求項１に記載の安全錠止掛け金。
【請求項９】
前記第１のクラスプ部材の少なくとも一部は、該第１のクラスプ部材が前記閉鎖位置にある時、前記シャックル部材の第２の脚部との締まり嵌めを提供するように位置付けられる、請求項１に記載の安全錠止掛け金。
【請求項１０】
前記第１および第２のクラスプ部材は、該第１および第２のクラスプ部材が前記シャックル部材と組み立てられると、前記第１のシャックル脚部内の上方および下方溝と相互錠止する、内向きに偏向された突出部を含む、請求項１に記載の安全錠止掛け金。
【請求項１１】
前記下方溝は、面取りされた上方縁を含む、請求項１０に記載の安全錠止掛け金。
【請求項１２】
前記フランジは、複数の錠止開口を備える、請求項１に記載の安全錠止掛け金。
【請求項１３】
前記フランジは、第１の錠止開口と、該第１の錠止開口より小さい第２の錠止開口とを備える、請求項１に記載の安全錠止掛け金。
【請求項１４】
前記第１のクラスプ部材は、第１および第２のフランジを備え、該第１および第２のフランジの各々は、それぞれ錠止開口を備え、前記第２のクラスプ部材は、該第１および第２のクラスプ部材が前記閉鎖位置にある時、自身を通して、該第１および第２のフランジを受容するように位置付けられる、第１および第２の切り欠き部分を備える、請求項１に記載の安全錠止掛け金。
【請求項１５】
前記第１のフランジは、前記第２のフランジに対して実質的に垂直である、請求項１４に記載の安全錠止掛け金。
【発明の詳細な説明】
【技術分野】
【０００１】
（関連出願の相互参照）
本出願は、２００８年５月２０日に出願された「ＳＡＦＥＴＹ  ＬＯＣＫＯＵＴ  ＨＡＳＰ」というタイトルの米国仮特許出願第６１／０５４，５７７号の利益を主張し、その全体内容が、本出願と対立しない範囲内で、本明細書に参考として援用される。
【背景技術】
【０００２】
（背景）
例えば、南京錠および他の種類の従来の錠等の安全デバイスは、当技術分野において周知である。多くの安全デバイスは、例えば、スイッチ、ダイヤル、および押ボタン等の電気構成要素、ならびに弁および圧力調節器等の流体システム構成要素を含む、機器や制御器具へのアクセスを制限するために提供される。産業および商業用機器は、多くの場合、錠止特徴（例えば、錠止ブラケットまたは類似構造）を具備し、機器へのアクセスの抑制またはその錠止を促進する。機器の錠止特徴は、通常は、錠止部のシャックル（あるいは、ケーブルまたは他の保定部材）を受容し、錠止特徴の別の部分に対して、開口を備えた部材の移動を防止し、それによって、機器へのアクセスまたはその操作を防止するように構成される、掛け金あるいは他のそのような開口を備えた部材または複数の部材を含む。
【０００３】
いくつかの用途では、機器の錠止された要素へのアクセスまたは操作を可能にするために、複数の技術者または他の権限者の承認を必要とすることが望ましい場合がある。機器の錠止特徴要素は、複数の錠止部を保定するように定寸され得るが、安全錠止掛け金が、代わりに、開口を備えた部材に固定されるように提供されてもよい。従来の安全錠止掛け金は、機器の錠止特徴に固定されるシャックルと、１つ以上の錠止部のシャックル（または、他の錠止可能保定部材）を受容するための１つ以上の開口とを含む。挿入された錠止可能保定部材はそれぞれ、機器の錠止特徴からのシャックルの引き抜きを防止し、それによって、機器の錠止特徴から錠止掛け金を取り外し、機器へのアクセスまたはその操作を可能にするために、安全錠止掛け金からの錠止可能保定部材全部の取り外しを必要とする。
【０００４】
図１および２は、シャックル部材２５にヒンジ固定され、フランジ状端２４および保定リング２６によって、シャックル上に保定される、第１および第２のクラスプ部材２１ａ、２１ｂを含む、従来の安全錠止掛け金２０を例示する。クラスプ部材２１ａ、２１ｂは、閉鎖位置（図１）と開放位置（図２）との間のシャックル２５を中心として回転可能である。閉鎖位置では、第１および第２のクラスプ部材２１ａ、２１ｂの開口２７ａ、２７ｂは、１つ以上の錠止部の錠止可能保定部材（図示せず）を受容するように整列し、それによって、シャックル２５に対して、閉鎖位置にクラスプ部材を固定する。整列された開口２７ａ、２７ｂを通る１つ以上の錠止可能保定部材の挿入は、錠止特徴からの錠止掛け金２０の取り外しのための開放位置へのクラスプ部材２１ａ、２１ｂの回転を防止する。
【０００５】
図１および２の安全錠止掛け金２０と併用される錠止可能保定部材のサイズに応じて、クラスプ部材２１ａ、２１ｂは、１つ以上の錠止部が、整列された開口２７ａ、２７ｂを通して固定される場合であっても、シャックル２５に対して、若干回転可能であってもよい。
【発明の概要】
【課題を解決するための手段】
【０００６】
（概要）
本願は、機器またはデバイスと併用するための安全錠止掛け金を企図する。本願の発明局面によると、安全錠止掛け金は、閉鎖位置に錠止可能であって、シャックル部材に係合し、機器またはデバイス内の掛け金または他の別様にアクセス可能な開口部からのシャックル部材の引き抜きを防止するように構成される、第１および第２の旋回可能クラスプ部材を具備してもよい。一実施形態では、クラスプ部材のうちの一方の開口を備えたフランジは、開口を備えたフランジ内の錠止開口を通しての錠止可能保定部材の挿入によって、シャックル部材の引き抜きのためのシャックル部材からのクラスプ部材の分離を防止するように、クラスプ部材の他方の対応する切り欠きを通って延びる。
【０００７】
故に、一実施形態では、安全錠止掛け金は、第１のシャックル脚部および第２のシャックル脚部を有するシャックル部材と、第１のシャックル脚部に旋回可能に固定される第１および第２のクラスプ部材とを含む。第１のクラスプ部材は、開口を備えたフランジを含み、第２のクラスプ部材は、第１および第２のクラスプ部材のうちの少なくとも１つが、第２のシャックル脚部に係合する、第１および第２のクラスプ部材が閉鎖位置にある時、それを通して、開口を備えたフランジを受容するように位置付けられる、切り欠き部分を含む。第１および第２のクラスプ部材が閉鎖位置にあって、錠止可能保定部材が、錠止開口を通して、開口を備えたフランジ内に挿入されると、切り欠き部分からの開口を備えたフランジの引き抜きが防止され、それによって、第１および第２のクラスプ部材を閉鎖位置に固定する。
本明細書は、例えば、以下の項目も提供する。
（項目１）
第１のシャックル脚部と第２のシャックル脚部とを有する、シャックル部材と、
該第１のシャックル脚部に旋回可能に固定される第１のクラスプ部材であって、開口を備えたフランジを含む、第１のクラスプ部材と、
該第１のシャックル脚部に旋回可能に固定される第２のクラスプ部材であって、該第１および第２のクラスプ部材が閉鎖位置にある時、自身を通して、該開口を備えたフランジを受容するように位置付けられる切り欠き部分を含み、該第１および第２のクラスプ部材のうちの少なくとも１つは、該第２のシャックル脚部に係合する、第２のクラスプ部材と
を備え、該第１および第２のクラスプ部材が該閉鎖位置にあって、錠止可能保定部材が、錠止開口を通して、該開口を備えたフランジ内に挿入されると、該切り欠き部分からの該開口を備えたフランジの引き抜きが防止され、それによって、該第１および第２のクラスプ部材を該閉鎖位置に固定する、安全錠止掛け金。
（項目２）
前記第２のクラスプ部材は、開口を備えたフランジを含み、前記第１のクラスプ部材は、該第１および第２のクラスプ部材が前記閉鎖位置にある時、該第２のクラスプ部材の開口を備えたフランジを受容するように構成される、切り欠き部分を含む、項目１に記載の安全錠止掛け金。
（項目３）
前記第２のクラスプ部材は、前記第１のクラスプ部材と実質的に同一である、項目２に記載の安全錠止掛け金。
（項目４）
前記第１のクラスプ部材の開口を備えたフランジは、該第１のクラスプ部材の切り欠き部分と実質的に同一線上にある、項目２に記載の安全錠止掛け金。
（項目５）
前記第１および第２のクラスプ部材の開口を備えたフランジは、該第１および第２のクラスプ部材が前記閉鎖位置にある時、前記第２のシャックル脚部の側方最外表面を実質的に被覆する、項目２に記載の安全錠止掛け金。
（項目６）
前記第１および第２のクラスプ部材が前記閉鎖位置にある時、該第１および第２のクラスプ部材の開口を備えたフランジは、反対方向に延びる、項目２に記載の安全錠止掛け金。
（項目７）
前記開口を備えたフランジは、前記第２のシャックル脚部に対して実質的に平行に延びる、項目１に記載の安全錠止掛け金。
（項目８）
前記開口を備えたフランジは、前記第２のシャックル脚部に対して実質的に垂直に延びる、項目１に記載の安全錠止掛け金。
（項目９）
前記第１のクラスプ部材の少なくとも一部は、該第１のクラスプ部材が前記閉鎖位置にある時、前記シャックル部材の第２の脚部との締まり嵌めを提供するように位置付けられる、項目１に記載の安全錠止掛け金。
（項目１０）
前記第１および第２のクラスプ部材は、該第１および第２のクラスプ部材が前記シャックル部材と組み立てられると、前記第１のシャックル脚部内の上方および下方溝と相互錠止する、内向きに偏向された突出部を含む、項目１に記載の安全錠止掛け金。
（項目１１）
前記下方溝は、面取りされた上方縁を含む、項目１０に記載の安全錠止掛け金。
（項目１２）
前記開口を備えたフランジは、複数の錠止開口を備える、項目１に記載の安全錠止掛け金。
（項目１３）
前記開口を備えたフランジは、第１の錠止開口と、該第１の錠止開口より小さい第２の錠止開口とを備える、項目１に記載の安全錠止掛け金。
（項目１４）
前記第１のクラスプ部材は、第１および第２の開口を備えたフランジを備え、前記第２のクラスプ部材は、該第１および第２のクラスプ部材が前記閉鎖位置にある時、自身を通して、該第１および第２の開口を備えたフランジを受容するように位置付けられる、第１および第２の切り欠き部分を備える、項目１に記載の安全錠止掛け金。
（項目１５）
前記第１の開口を備えたフランジは、前記第２の開口を備えたフランジに対して実質的に垂直である、項目１に記載の安全錠止掛け金。
【図面の簡単な説明】
【０００８】
本発明のさらなる特徴および利点は、付随の図面を参照して、以下の発明を実施するための形態から明白となるであろう。
【図１】図１は、閉鎖位置に示される、従来の安全錠止掛け金の正面図を例示する。
【図２】図２は、開放位置に示される、図１の安全錠止掛け金の側面斜視図を例示する。
【図３Ａ】図３Ａは、閉鎖位置に示される、安全錠止掛け金の正面斜視図を例示する。
【図３Ｂ】図３Ｂは、閉鎖位置に示される、図３Ａの安全錠止掛け金の後面斜視図を例示する。
【図３Ｃ】図３Ｃは、閉鎖位置に示される、図３Ａの安全錠止掛け金の正面立面図を例示する。
【図３Ｄ】図３Ｄは、閉鎖位置に示される、図３Ａの安全錠止掛け金の後面立面図を例示する。
【図３Ｅ】図３Ｅは、閉鎖位置に示される、図３Ａの安全錠止掛け金の右側面立面図を例示する。
【図３Ｆ】図３Ｆは、閉鎖位置に示される、図３Ａの安全錠止掛け金の左側面立面図を例示する。
【図３Ｇ】図３Ｇは、閉鎖位置に示される、図３Ａの安全錠止掛け金の上面平面図を例示する。
【図３Ｈ】図３Ｈは、閉鎖位置に示される、図３Ａの安全錠止掛け金の底面平面図を例示する。
【図４Ａ】図４Ａは、開放位置に示される、図３Ａの安全錠止掛け金の正面斜視図を例示する。
【図４Ｂ】図４Ｂは、開放位置に示される、図３Ａの安全錠止掛け金の後面斜視図を例示する。
【図５Ａ】図５Ａは、図３Ａの安全錠止掛け金のクラスプ部材の斜視図を例示する。
【図５Ｂ】図５Ｂは、図３Ａの安全錠止掛け金のクラスプ部材の別の斜視図を例示する。
【図６】図６は、図３Ａの安全錠止掛け金のシャックルの斜視図を例示する。
【図７】図７は、閉鎖位置に示される、安全錠止掛け金の正面斜視図を例示する。
【図８】図８は、開放位置に示される、図７の安全錠止掛け金の正面斜視図を例示する。
【図９】図９は、図７の安全錠止掛け金のシャックルおよび保定リングの斜視図を例示する。
【発明を実施するための形態】
【０００９】
（詳細な説明）
発明を実施するための形態は、本発明の好ましい実施形態を記載するにすぎず、請求項の範囲をいかようにも限定することを意図するものではない。実際には、請求される本発明は、好ましい実施形態よりも広範であって、それによって限定されず、請求項において使用される用語は、その完全なる一般的意味を有する。
【００１０】
本願の発明局面によると、安全錠止掛け金は、クラスプ部材が閉鎖（または、シャックル閉鎖）位置にある時、１つ以上の対応する切り欠きを通して、第２の回転可能クラスプ部材内に受容される、１つ以上の開口を備えたフランジを有する、第１の回転可能クラスプ部材を含む。１つ以上の錠止可能保定部材は、１つ以上の開口を備えたフランジを通して固定されると、対応する切り欠きからのフランジの引き抜きが防止され、安全錠止掛け金は、閉鎖位置に固定される。
【００１１】
図３Ａ−４Ｂは、本明細書に記載される発明特徴の多くを含む、例示的安全錠止掛け金１００の種々の図を例示する。錠止掛け金１００は、シャックル部材１２０に旋回可能にまたはヒンジ固定される、第１および第２のクラスプ部材１１０ａ、１１０ｂを含む。クラスプ部材１１０ａ、１１０ｂは、閉鎖位置（図３Ａ−３Ｈに示されるように）と開放位置（図４Ａおよび４Ｂ）との間のシャックルを中心として回転可能である。各クラスプ部材１１０ａ、１１０ｂは、クラスプ部材１１０ａ、１１０ｂのシャックル当接部分１１２ａ、１１２ｂから（または、それに対してほぼ垂直に）側方に延びる、開口を備えたフランジ１１５ａ、１１５ｂを含む。さらに、各クラスプ部材１１０ａ、１１０ｂは、クラスプ部材１１０ａ、１１０ｂが閉鎖位置にある時、それを通して、対向するクラスプ部材１１０ａ、１１０ｂの開口を備えたフランジ１１５ａ、１１５ｂを受容するように定寸および配向される、切り欠き部分１１６ａ、１１６ｂを含む。１つ以上の錠止可能保定部材（例えば、南京錠シャックル、錠止ケーブル、またはプラスチック製紐）が、フランジ１１５ａ、１１５ｂの錠止開口１１８ａ、１１８ｂの一方または両方を通して固定されると、対応する切り欠き部分１１６ａ、１１６ｂからのフランジ１１５ａ、１１５ｂの引き抜きが防止され、それによって、クラスプ部材１１０ａ、１１０ｂを閉鎖位置に固定する。これは、錠止掛け金１００が固定される、機器錠止特徴からの錠止掛け金１００の取り外しを防止する。錠止開口１１８ａ、１１８ｂは、より小さな保定部材（例えば、プラスチック製紐等）が、開口１１８ａ、１１８ｂを通して固定されると、保定部材のサイズ範囲（例えば、８ｍｍ径シャックルを含む）を収容するために十分に大きく、しかし、錠止されたクラスプ部材の過度の回転（および、シャックル部材１２０からの結果として生じる分離）を防止するために十分に小さくあるように定寸されてもよい。
【００１２】
多くの異なる構成を利用して、クラスプ部材１１０ａ、１１０ｂをシャックル１２０上に軸方向に固定する一方、シャックル１２０を中心としたクラスプ部材１１０ａ、１１０ｂの回転を可能にしてもよい。一実施形態では（図１および２に示されるように）、シャックルの一端は、クラスプ部材をシャックル上に保定するようにフランジ状にされる、または打って伸ばされてもよく、保定リングは、シャックル上のクラスプ部材の上方移動を防止するように、シャックル上に設置されてもよい。別の実施形態では、シャックルおよびクラスプ部材の一方は、円周方向溝を具備してもよく、シャックルおよびクラスプ部材の他方は、対応する溝内に保定され、クラスプ部材をシャックル上に軸方向に固定する一方、それを中心とする回転を可能にするように位置付けられる、１つ以上の突出部を具備してもよい。
【００１３】
図３Ａ−４Ｂの実施形態では、クラスプ部材１１０ａ、１１０ｂはそれぞれ、それを通しての第１のシャックル脚部１２１の挿入のための軸方向に延びる通路１１３ａ、１１３ｂと、対応する通路１１３ａ、１１３ｂ内に延びるクラスプ部材１１０ａ、１１０ｂの内向きに偏向された指部１１１ａ、１１１ｂとを含む。図６に示されるように、第１のシャックル脚部１２１は、第１および第２の円周方向溝１２２ａ、１２２ｂを含む。クラスプ部材の通路１１３ａ、１１３ｂを通した第１のシャックル脚部１２１の挿入の際、指部１１１ａ、１１１ｂは、シャックル１２０に対して外側に屈曲し、溝との整列に応じて、対応する溝１２２ａ、１２２ｂとスナップ嵌めする。図６に示されるように、第２の溝１２２ｂは、面取りされた上方縁１２４を具備し、第１の溝１２２ａとの続くスナップ嵌めのために、第２の溝１２２ｂを越えて、第１のクラスプ部材１１０ａをより容易に摺動させてもよい。
【００１４】
シャックル１２０は、多くの異なるサイズで提供され得る一方、一実施形態では、シャックルは、例えば、従来のＩＳＯ／ＤＩＮ型機器のより小さな標準的錠止開口を収容するように、約４ｍｍ径である。錠止開口１１８ａ、１１８ｂによって収容される南京錠シャックル（または、他の保定部材）のサイズより小さな直径を有するシャックル１２０を提供することによって、安全錠止掛け金１００は、大き過ぎてより小さな錠止開口に嵌入不可能なシャックル（または、他の保定部材）を有する、南京錠（あるいは、他の錠止部）のための１種のアダプタとして使用されてもよい。
【００１５】
第１および第２のクラスプ部材１１０ａ、１１０ｂは、サイズおよび形状の種々の組み合わせで提供されてもよい。一実施例（図示せず）として、安全錠止掛け金は、第２のクラスプ部材上に提供される対応する切り欠きとともに、第１のクラスプ部材上のその開口を備えたフランジすべてを具備してもよい。例示される実施形態では、各クラスプ部材１１０ａ、１１０ｂは、１つの開口を備えたフランジ１１５ａ、１１５ｂと、１つの切り欠き部分１１６ａ、１１６ｂ（例えば、スロット、孔、または切り欠き）とを具備し、他方のクラスプ部材の開口を備えたフランジを収容する。示されるように、第１および第２のクラスプ部材１１０ａ、１１０ｂは、実質的に同一であってもよく、工具、製造、および在庫の保管に付随する費用を削減し得る。他の実施形態では（図示せず）、クラスプ部材の一方または両方が、複数の開口を備えたフランジ、複数の錠止開口を伴うフランジ、および／または切り欠き部分を具備し、開口を備えたフランジ配列を収容してもよい。
【００１６】
錠止掛け金構成要素は、多くの異なる材料で提供され得るが、一実施形態では、シャックル１２０およびクラスプ部材１１０ａ、１１０ｂは、プラスチックまたはいくつかの他の誘電性あるいは非電導性材料で提供され、例えば、ユーザへの感電の危険を低減する。他の実施形態では、これらの構成要素は、鋼鉄またはアルミニウム等の金属、あるいはいくつかの他の好適な材料で提供されてもよい。安全錠止掛け金構成要素は、多くの異なるサイズ、形状、および寸法構成で提供され、例えば、異なる機器錠止開口ならびに南京錠または他の保定部材を収容してもよい。
【００１７】
また、付加的特徴が提供されてもよい。例えば、例示される実施形態に示されるように、ループ１１９ａ、１１９ｂは、各クラスプ部材１１０ａ、１１０ｂ上に提供され、錠止デバイスへの識別タグの締結を促進してもよい。別の実施例として、クラスプ部材１１０ａ、１１０ｂが閉鎖位置にある時、軽度の締まり嵌めが、開口を備えたフランジ１１５ａ、１１５ｂと第２のシャックル脚部１２３との間に提供され、設置の際、クラスプ部材を閉鎖位置に保定してもよい。さらに別の実施例として、側方に延びる壁部材１１４ａ、１１４ｂ（図４Ａ）が、各クラスプ部材１１０ａ、１１０ｂ上に提供され、閉鎖位置にある時、クラスプ部材間の開放空間を最小限にし、例えば、錠止されたクラスプ部材１１０ａ、１１０ｂをこじ開けようとする試みを妨害してもよい。
【００１８】
図７および８は、本明細書に記載される発明特徴の多くを含む、別の例示的安全錠止掛け金２００を例示する。錠止掛け金２００は、シャックル部材２２０に旋回可能またはヒンジ固定される、第１および第２のクラスプ部材２１０ａ、２１０ｂを含む。クラスプ部材２１０ａ、２１０ｂは、閉鎖位置（図７に示されるように）と開放位置（図８）との間のシャックルを中心として回転可能である。
【００１９】
第１および第２のクラスプ部材２１０ａ、２１０ｂは、種々のサイズおよび形状の組み合わせで提供されてもよい。例示される実施形態では、各クラスプ部材２１０ａ、２１０ｂは、クラスプ部材２１０ａ、２１０ｂのシャックル当接部分２１２ａ、２１２ｂから（または、それに対して実質的に垂直に）側方に延びる、第１の開口を備えたフランジ２１５ａ、２１５ｂを具備する。第１の開口を備えたフランジ２１５ａ、２１５ｂは、第１および第２のクラスプ部材２１０ａ、２１０ｂが閉鎖位置にある時、第２のシャックル脚部２２３に対して実質的に平行に、かつその側方外側に位置付けられる。加えて、各クラスプ部材は、第１および第２のクラスプ部材２１０ａ、２１０ｂが閉鎖位置にある時、第２のシャックル脚部２２３に対して実質的に垂直に、かつその側方内側に位置付けられる、第２の側方に延びる開口を備えたフランジ２１７ａ、２１７ｂを具備する。さらに、各クラスプ部材２１０ａ、２１０ｂは、他方のクラスプ部材２１０ａ、２１０ｂの第１の開口を備えたフランジ２１５ａ、２１５ｂ収容する第１の切り欠き部分２１６ａ、２１６ｂ（例えば、スロット、孔、または切り欠き）と、他方のクラスプ部材２１０ａ、２１０ｂの第２の開口を備えたフランジ２１７ａ、２１７ｂを収容する第２の切り欠き部分２１４ａ、２１４ｂ（例えば、スロット、孔、または切り欠き）とを含む。第２の開口を備えたフランジ２１７ａ、２１７ｂは、監督者の錠止部等、特有の錠止可能保定部材と併用のために専用であってもよい。示されるように、第１および第２のクラスプ部材２１０ａ、２１０ｂは、実質的に同一であってもよく、工具、製造、および在庫の管理に付随する費用を削減し得る。加えて、または代替として、他の数量の開口を備えたフランジ、切り欠き、および錠止開口が、提供されてもよい。
【００２０】
１つ以上の錠止可能保定部材（例えば、南京錠シャックル、錠止ケーブル、またはプラスチック紐）が、１つ以上の錠止開口２１８ａ、２１８ｂ、２１１ａ、２１１ｂ、２３１ａ、２３１ｂを通して、フランジ２１５ａ、２１５ｂ、２１７ａ、２１７ｂのうちの１つ以上内に固定されると、対応する切り欠き部分２１６ａ、２１６ｂ、２１４ａ、２１４ｂからのフランジ２１５ａ、２１５ｂ、２１７ａ、２１７ｂの引き抜きが防止され、それによって、クラスプ部材２１０ａ、２１０ｂを閉鎖位置に固定する。これは、錠止掛け金２００が固定される機器錠止特徴からの錠止掛け金２００の取り外しを防止する。例示される実施形態では、第１の開口を備えたフランジ２１５ａ、２１５ｂはそれぞれ、３つのより大きな錠止開口２１８ａ、２１８ｂと、１つのより小さな錠止開口２１１ａ、２１１ｂとを具備し、第２の開口を備えたフランジ２１７ａ、２１７ｂはそれぞれ、１つの錠止開口２３１ａ、２３１ｂを具備する。しかしながら、錠止開口の他のサイズ、数量、または組み合わせが、開口を備えたフランジの一方あるいは両方に提供されてもよい。錠止開口２１８ａ、２１８ｂ、２１１ａ、２１１ｂ、２３１ａ、２３１ｂは、より小さい保定部材（例えば、プラスチック紐等）が、開口２１８ａ、２１８ｂ、２１１ａ、２１１ｂ、２３１ａ、２３１ｂを通して固定されると、保定部材のサイズ範囲（例えば、８ｍｍ径シャックルを含む）を収容するために十分に大きいが、錠止されたクラスプ部材の過度の回転（および、シャックル部材２２０からの結果として生じる分離）を防止するために十分に小さくてもよい。
【００２１】
多くの異なる構成を利用して、クラスプ部材２１０ａ、２１０ｂをシャックル２２０上に軸方向に固定する一方、シャックル２２０を中心とするクラスプ部材２１０ａ、２１０ｂの回転を可能にしてもよい。図７および８の実施形態では、クラスプ部材２１０ａ、２１０ｂはそれぞれ、それを通しての第１のシャックル脚部２２１の挿入のための軸方向に延びる蝶番部分２１３ａ、２１３ｂを含む。図９に示されるように、シャックル脚部２２１の一端２２４は、クラスプ部材２１０ａ、２１０ｂをシャックル２２０上に保定するようにフランジ状にされる、または打って伸ばされてもよく、保定リング２２９は、シャックル２２０上に設置され、シャックル２２０上のクラスプ部材２１０ａ、２１０ｂの上方移動を防止してもよい。
【００２２】
シャックル２２０は、多くの異なるサイズで提供され得るが、一実施形態では、シャックル２２０は、例えば、従来のＩＳＯ／ＤＩＮ型機器のより小さい標準的錠止開口を収容するように、約４ｍｍ径である。錠止開口２１８ａ、２１８ｂによって収容される南京錠シャックル（または、他の保定部材）のサイズより小さい直径を有するシャックル２２０を提供することによって、安全錠止掛け金２００は、大き過ぎてより小さな錠止開口に嵌まらないシャックル（または、他の保定部材）を有する、南京錠（あるいは、他の錠止部）の１種のアダプタとして使用されてもよい。さらに、開口を備えたフランジ２１５ａ、２１５ｂ、２１７ａ、２１７ｂは、第２の安全錠止掛け金（例示される安全錠止掛け金１００、２００のうちの１つと同一であってもよいが、そうである必要はない）のより小さな直径のシャックルが、安全錠止掛け金２００にしっかりと固定、すなわち、「数珠繋ぎ」され、さらに多くの錠止開口を提供し得るように、少なくとも１つのより小さな直径の錠止開口２１１ａ、２１１ｂを具備してもよい。
【００２３】
錠止掛け金構成要素は、多くの異なる材料で提供され得るが、一実施形態では、シャックル２２０およびクラスプ部材２１０ａ、２１０ｂは、例えば、鋼鉄またはアルミニウム等の金属で提供される。安全錠止掛け金構成要素は、多くの異なるサイズ、形状、および寸法構成で提供され、例えば、異なる機器錠止開口および南京錠または他の保定部材を収容してもよい。
【００２４】
また、付加的特徴が提供されてもよい。例えば、例示される実施形態に示されるように、付加的孔２１９ａ、２１９ｂが、各クラスプ部材２１０ａ、２１０ｂ上に提供され、錠止デバイスへの識別タグの締結を促進してもよい。別の実施例として、軽度の締まり嵌めが、クラスプ部材２１０ａ、２１０ｂが閉鎖位置にある時、第１の開口を備えたフランジ２１５ａ、２１５ｂと第２のシャックル脚部２２３との間に提供され、設置の際、クラスプ部材を閉鎖位置に保定してもよい。
【００２５】
本発明の種々の発明局面、概念、および特徴は、例示的実施形態において、組み合わせて具現化されるように、本明細書に記載および例示され得るが、これらの種々の局面、概念、および特徴は、個々に、または種々の組み合わせならびにそれらの副次的組み合わせとして、多くの代替実施形態において使用されてもよい。本明細書において明示的に除外されない限り、そのような組み合わせおよび副次的組み合わせはすべて、本発明の範囲内であるものと意図される。さらに、本発明の種々の発明局面、概念、および特徴に関する種々の代替実施形態（代替材料、構造、構成、方法、回路、デバイスおよび構成要素、ソフトウェア、ハードウェア、制御論理、形成し適用し機能するものとしての代替物など）が、本明細書に記載され得るが、そのような記載は、現在既知または後に開発されるものであるかを問わず、利用可能な代替実施形態の完全あるいは排他的リストであると意図されるものではない。当業者は、そのような実施形態が、本明細書に明示的に開示されない場合であっても、容易に、発明局面、概念、または特徴のうちの１つ以上を付加的実施形態に採用し、本発明の範囲内で使用し得る。加えて、本発明のいくつかの特徴、概念、または局面は、好ましい配列または方法として、本明細書に記載され得るが、そのような記載は、明示的に記載されない限り、そのような特徴が必須または必要であることを示唆することを意図するものではない。さらに、例示的または代表的値および範囲は、本開示の理解の補助として含まれ得る。しかしながら、そのような値および範囲は、限定的意味で解釈されず、明示的に記載される場合のみ、臨界値または範囲として意図される。さらに、種々の局面、特徴、および概念は、発明または発明の一部を形成するように、本明細書では明示的に識別され得るが、そのような識別は、排他的として意図されるものではなく、むしろ、そのようなものとして、あるいは特有の発明の一部として、明示的に識別されることなく、本明細書に全体的に記載される、発明局面、概念、ならびに特徴であり得る。例示的方法またはプロセスの記載は、明示的に記載されない限り、全例で必要とされる全ステップの包括に限定されず、ステップが提示される順番も、必須あるいは必要として解釈されるものではない。
【図１】
0005526123.tif 000002
【図２】
0005526123.tif 000003
【図３Ａ】
0005526123.tif 000004
【図３Ｂ】
0005526123.tif 000005
【図３Ｃ】
0005526123.tif 000006
【図３Ｄ】
0005526123.tif 000007
【図３Ｅ】
0005526123.tif 000008
【図３Ｆ】
0005526123.tif 000009
【図３Ｇ】
0005526123.tif 000010
【図３Ｈ】
0005526123.tif 000011
【図４Ａ】
0005526123.tif 000012
【図４Ｂ】
0005526123.tif 000013
【図５Ａ】
0005526123.tif 000014
【図５Ｂ】
0005526123.tif 000015
【図６】
0005526123.tif 000016
【図７】
0005526123.tif 000017
【図８】
0005526123.tif 000018
【図９】
0005526123.tif 000019